(57)【特許請求の範囲】
【請求項１】
暗証番号の入力を受け付ける暗証番号入力部と、
前記暗証番号の入力結果を表示する表示部と、
顧客の所望の処理を行う制御部を有し、
前記暗証番号入力部により入力されたキーを記号に変換して前記表示部に表示する自動取引装置において、
前記制御部は、前記暗証番号入力部により入力されたキーを記号に変換して前記表示部に表示する際に、入力されたキーが一つ前に入力されたキーと同一のキーである場合は一つ前の記号と同一の記号を表示部に表示し、入力されたキーが一つ前に入力されたキーと異なるキーである場合は一つ前の記号と異なる記号を前記表示部に表示するようにしたことを特徴とする自動取引装置。
【請求項２】
前記異なる記号は、２種類設け、入力されたキーが一つ前に入力されたキーと異なるキーである場合は、前記異なる記号を交互に変えて前記表示部に表示するようにしたことを特徴とする請求項１記載の自動取引装置。
【請求項３】
暗証番号の入力を受け付ける暗証番号入力部と、
前記暗証番号の入力結果を表示する表示部と、
顧客の所望の処理を行う制御部を有し、
前記暗証番号入力部により入力されたキーを記号に変換して前記表示部に表示する自動取引装置において、
前記制御部は、前記暗証番号入力部により入力されたキーを記号に変換して前記表示部に表示する際に、入力されたキーが一つ前に入力されたキーと同一のキーである場合は、一つ前の記号と二つ前の記号の間に境界を表すスペースまたはキーを変換して表示する記号以外の記号を挿入して前記表示部に表示するようにしたことを特徴とする自動取引装置。
【請求項４】
前記制御部は、入力されたキーが一つ前に入力されたキーと同一のキーである場合で、前記入力されたキーが２桁目のときには、一つ前の記号と二つ前の記号の間に境界を表すスペースまたはキーを変換して表示する記号以外の記号を挿入する処理を行わないことを特徴とする請求項３記載の自動取引装置。
【発明の詳細な説明】
【技術分野】
【０００１】
本発明は、自動取引装置等における本人確認の方法として用いられる暗証番号の入力方法に関するものである。
【背景技術】
【０００２】
従来の自動取引装置等で使用される暗証番号入力装置（ＰＩＮＰＡＤ；Ｐｅｒｓｏｎａｌ  Ｉｄｅｎｔｉｆｉｃａｔｉｏｎ  Ｎｕｍｂｅｒ  Ｐａｄ）では、他人に見られないように暗証番号の保護の観点から入力されたキーをそのまま表示するのではなく、"＊"や"＃"の記号を表示させる方法を採用している（例えば、特許文献１参照）。
【０００３】
以上のようにすることにより、顧客や係員（以下「顧客等」という）が入力する暗証番号を他人に盗み見られることもなく、また、入力した本人が確実にキーを押下したことが確認できるようになっている。
【特許文献１】特開２０００−２１６９３０号公報（段落７５−段落７９）
【発明の開示】
【発明が解決しようとする課題】
【０００４】
しかしながら、上記従来の暗証番号入力方法では、暗証番号が４桁程度であればあまり問題はないが、近年、暗証番号の桁数が増加し８桁等の場合も多くなっており、このように長い桁数の暗証番号を入力する場合では、押下したキーを別の記号で表示すると、入力ミスをしても間違えたかどうかを確認することが難しくなる。
【０００５】
また、近年のセキュリティ機能を有した暗証番号入力装置においても、暗号化キーを入力するときに押下したキーとは異なる＊や＃等の記号で表示するようになっており、暗号化キーはさらに長い１６桁や３２桁等となっているため、入力ミスをしても間違えたことを確認することがさらに難しくなるという問題があった。
【課題を解決するための手段】
【０００６】
本発明は、前述の課題を解決するために次の手段を採用する。すなわち、暗証番号の入力を受け付ける暗証番号入力部と、前記暗証番号の入力結果を表示する表示部と、顧客の所望の処理を行う制御部を有し、前記暗証番号入力部により入力されたキーを記号に変換して前記表示部に表示する自動取引装置において、前記制御部は、前記暗証番号入力部により入力されたキーを記号に変換して前記表示部に表示する際に、入力されたキーが一つ前に入力されたキーと同一のキーである場合は一つ前の記号と同一の記号を表示部に表示し、入力されたキーが一つ前に入力されたキーと異なるキーである場合は一つ前の記号と異なる記号を前記表示部に表示するようにした。
【発明の効果】
【０００７】
本発明の自動取引装置によれば、所定の暗証番号を入力し認証を行う暗証番号入力方法において、入力されたキーと異なる記号を表示するときに、連続して同じキーが入力された場合と、前のキーと異なるキーが入力された場合と、それぞれ異なる記号を表示するようにしたので、長い暗証番号を入力する場合であっても、入力間違いを少なくすることができる。
【発明を実施するための最良の形態】
【０００８】
以下、本発明に係る実施の形態例を、図面を用いて説明する。なお、図面に共通する要素には同一の符号を付す。
【実施例１】
【０００９】
（構成）
図１は、実施例１の自動取引装置の外観構成図である。同図に示したように、自動取引装置１の前面には、通帳の挿入・排出を行う通帳取扱口２と、キャッシュカード等のカードを挿入・排出するカード取扱口３と、硬貨の入金・出金を行う硬貨入出金口４と、紙幣の入金・出金を行う紙幣入出金口５と、主として顧客等が取引種別に応じて各操作を行う前面操作パネル６が設けられている。
【００１０】
また、自動取引装置１の後面には、係員が後面から保守するための金庫扉７と、係員が保守内容に応じて各操作を行う後面操作パネル８が設けられている。
【００１１】
図２は、自動取引装置の機能構成を示すブロック図である。同図に示したように実施例１の自動取引装置１は、キャッシュカード等のリードライト等を行うカードユニット１３、紙幣の入出金を行う紙幣ユニット１５、硬貨の入出金を行う硬貨ユニット１４、通帳のＭＳＲのリードライトや通帳への印字を行う通帳記帳ユニット１２を有しており、これらの制御を制御部１０が行い、顧客等が選択した取引に応じて各ユニットに指示をして所望の処理を行うようになっている。
【００１２】
そして、実施例１の自動取引装置１は、さらに、顧客等が取引を選択するにあたり取引選択や金額入力、振込先入力といったセキュリティ性の低いキー入力を行うためのタッチキー入力部６ｂと、暗証番号というセキュリティ性の高いキー入力を行うための暗証番号入力部６ｃを設けている。
【００１３】
そして、顧客等が暗証番号を入力する際に、暗証番号入力部６ｃによりキーを暗号化して制御部１０に通知し、制御部１０では暗証番号入力部６ｃから受信したデータを確認してＬＣＤ画面表示部６ａに"＊"や"＃"などの記号によりキーデータを隠蔽する形で暗証番号が入力されたことを表示させる。
【００１４】
このとき、制御部１０は、暗証番号入力部６ｃから通知されたキーデータを確認して前のキーデータと同じであれば、前の記号と同じ記号として例えば"＊"を表示させ、前のキーと違う場合は、前の記号と違う記号として、例えば"＃"を表示させるようになっている。
【００１５】
以上のように構成することにより、暗証番号を入力した顧客等は、記号で表示されるためセキュリティ性が維持され、本人だけが、同じキーデータが何桁続けて入力されたかなどの確認ができることとなる。
【００１６】
（動作）
以上の構成により、実施例１の自動取引装置１は以下のように動作する。この動作を図３の動作フローチャートを用いて詳細に説明する。
【００１７】
まず、顧客等が１桁目の暗証番号を入力すると、暗証番号入力部６ｃから制御部１０にキーデータが通知される（ステップＳ５１）。制御部１０では通知されたデータを保存し（ステップＳ１）、ＬＣＤ画面６ａに記号１として、例えば"＊"を表示する（ステップＳ２）。
【００１８】
次に、顧客等が暗証番号入力部６ｃから次の桁、この場合２桁目を入力し、制御部１０にキーデータを通知する（ステップＳ５２）。
【００１９】
制御部１０ではこのキーデータを保存し、前のキーデータと比較し（ステップＳ３）、押下したキーが暗証番号入力の終了を示す「確認」キーと判定した場合は（ステップＳ４）、保存したキーを消去して暗証番号入力モードを解除して（ステップＳ５）、次の処理として図示しないホストへの通信や支払処理や入金処理に移行する。
【００２０】
一方、確認キー以外の場合は、前のキーと同じかどうかを判定し（ステップＳ６）、同じキーの場合は前の記号として、例えば"＊"を表示し（ステップＳ７）、異なる場合は前の記号と異なる記号として、例えば"＃"を表示して（ステップＳ８）次の桁の処理に移行する。
【００２１】
以上の動作を、暗証番号入力の終了を示す確認キー押下まで継続し、確認キーが押下されたことを検出すると、ステップＳ５に進み、暗証番号入力処理を終了する。
【００２２】
以上のように動作させることにより、例えば、図４に示したように、暗証番号として"１１２１１"が入力された場合では、最初の番号"１"が入力されたときにステップＳ２により"＊"を表示し、次ぎの番号"１"が入力されると、ステップＳ６により前の数字"１"と同じ数字と判定され、ステップＳ７にて同じ記号"＊"を表示する。
【００２３】
そして、次の番号"２"が入力されると、ステップＳ６により前の数字"１"と異なる数字と判定され、ステップＳ８にて前の記号と異なる記号、すなわち前の記号が"＊"であるので"＃"を表示する。
【００２４】
そして、次の番号"１"が入力されると、ステップＳ６により前の数字"２"と異なる数字と判定され、ステップＳ８にて前の記号と異なる記号、すなわち前の記号が"＃"であるので"＊"を表示する。そして、次ぎの番号"１"が入力されると、ステップＳ６により前の数字"１"と同じ数字と判定され、ステップＳ７にて同じ記号"＊"を表示する。
【００２５】
以上の結果、"１１２１１"の入力に対し、"＊＊＃＊＊"のように入力された文字配列に類似した記号配列として表示されることになる。
【００２６】
また、図５（ａ）に示したように、暗証番号として"１２３４５"が入力された場合では、最初の番号"１"が入力されたときにステップＳ２により"＊"を表示し、次ぎの番号"２"が入力されると、ステップＳ６により前の数字"１"と異なる数字と判定され、ステップＳ８にて異なる記号"＃"を表示する。
【００２７】
そして、次の番号"３"が入力されると、ステップＳ６により前の数字"２"と異なる数字と判定され、ステップＳ８にて異なる記号、すなわち前の記号が"＃"であるので"＊"を表示する。
【００２８】
そして、次の番号"４"が入力されると、ステップＳ６により前の数字"３"と異なる数字と判定され、ステップＳ８にて前の記号と異なる記号、すなわち前の記号が"＊"であるので"＃"を表示する。そして、次ぎの番号"５"が入力されると、ステップＳ６により前の数字"４"と異なる数字と判定され、ステップＳ８にて前の記号と異なる記号、すなわち前の記号が"＃"であるので"＊"を表示する。
【００２９】
以上の結果、"１２３４５６"の入力に対し、"＊＃＊＃＊"のように入力された文字配列のように異なる記号が交互に表示されることになる。
【００３０】
なお、以上の説明では、数字を入力例として説明したが、暗証番号として数字以外の文字などを入力するであってもよい。
【００３１】
また、以上の説明では、前と異なるキーデータが入力されたときに交互に記号を切換えるように説明したが、図５（ｂ）に示したようにあらかじめ決めた複数の記号を順にまたはランダムに表示するようにするとなおよい。
【００３２】
（実施例１の効果）
以上のように実施例１の自動取引装置によれば、入力される暗証番号を２種類の所定の記号に置き換えるようにし、入力されたキーと１つ前のキーとが異なる場合は１つ前の記号と異なる記号を表示して暗証番号に類似した記号配列を表示するようにしたので、長い暗証番号を入力する場合であっても、入力間違いを少なくすることができる。
【実施例２】
【００３３】
（構成）
実施例２の自動取引装置の外観構成、内部の機能構成については、図１および図２を用いた実施例１の構成と同様であるので、簡略化のためにその詳細な説明は省略する。
【００３４】
実施例２の自動取引装置では、制御部１０にて、入力された暗証番号を記号等に置き換え表示するときに、同じキーが連続したときは、その前後にスペースまたは記号を挿入して表示できる構成としている。
【００３５】
（動作）
以上の構成により実施例２の自動取引装置は、以下のように動作する。この動作を図６の動作フローチャートを用いて以下詳細に説明する。
【００３６】
まず、顧客等が１桁目の暗証番号を入力すると、暗証番号入力部６ｃは制御部１０にキーデータを通知する（ステップＳ５１）。制御部１０は通知された１桁目のデータを保存し、キーデータが連続しているかどうかを判定するための「連続フラグ」を初期化、例えば"０"とし（ステップＳ２１）、１桁目を記号として、例えば"＊"をＬＣＤ画面６ａ上に表示する（ステップＳ２２）。
【００３７】
次に、顧客等が２桁目を入力すると、暗証番号入力部６ｃはキーデータを制御部１０に通知する（ステップＳ５２）。すると、制御部１０ではそのキーデータを保存するとともに、前の桁のデータと比較する（ステップＳ２３）。
【００３８】
そして、そのキーデータが暗証番号入力終了を表す「確認キー」かどうかを判定し（ステップＳ２４）、確認キーの場合は、保存していたキーを消去し暗証番号入力処理を終了する（ステップＳ２５）。
【００３９】
一方、「確認キー」でない場合は、前の桁のキーデータと同じかどうかを比較し（ステップＳ２６）、同じ場合は連続フラグがオン、すなわち"１"となっているかどうかを確認する（ステップＳ２７）。
【００４０】
そして、連続フラグがオンとなっている場合は、すでに前の桁がその前の桁と同じで連続が続いている状態であるので、ＬＣＤ画面６ａにそのまま記号として＊を表示する（ステップＳ２９）。
【００４１】
連続フラグがオフ、すなわち"０"の場合は、初めてキーデータが連続したことになるので、連続フラグをオンとするとともに、１つ前の表示とさらに１つ前の表示の間にスペースを挿入して表示する。すなわち、１つ前と今回のキーデータが同じで、１つ前と２つ前のキーデータが異なるデータとなっており、この部分が連続したキーデータの境界となるのでこの境界にスペースを挿入するとともに、今回のキーデータを記号、例えば"＊"に置き換えて表示する（ステップＳ２８）。
【００４２】
なお、この場合、２桁目の入力のときは２つ前の表示がないので、スペースを挿入する処理は行わないようにする。
【００４３】
一方、ステップＳ２６の判定において、前のデータと比較して今回のキーデータが異なる場合は、連続フラグがオンしているかどうかを判定し（ステップＳ３０）、連続フラグがオフの場合は、連続して同じキーデータが入力されていないためそのまま今回のキーデータを記号で表示する（ステップＳ３２）。
【００４４】
連続フラグがオンの場合は、連続したキーデータが続いた後に、今回異なるキーデータが入力されたのであるから、前のキーデータと今回のキーデータの間にスペースを挿入して、連続したキーデータの境界をスペースで表示するとともに、今回のキーデータを記号"＊"に置き換えて表示し、連続フラグをオフする（ステップＳ３１）。
【００４５】
以上の動作を、暗証番号入力終了を表す確認キーが押下されるまで継続し、確認キーが押下されたことを検出するとステップＳ２５に進み、保存データを消去して暗証番号入力処理を終了する。
【００４６】
以上のように動作させることにより、例えば、図７（ａ）および（ｂ）に示したように、暗証番号として"１１２１１"が入力された場合では、最初の番号"１"が入力されたときにステップＳ２２により"＊"を表示し、次ぎの番号"１"が入力されると、ステップＳ２６により前の番号"１"と同じ数字と判定されステップＳ２７にて連続フラグを参照し、"０"となっているのでステップＳ２８に進み、１つ前と２つ前の表示文字間にスペースを入れ、新たに記号"＊"を表示するとともに、連続フラグを"１"とする。なお、この場合、２つ前の表示文字はないため、スペースを入れる処理はスキップする。
【００４７】
そして、次の番号"２"が入力されると、ステップＳ２６により前の番号"１"と異なる数字と判定され、ステップＳ３０にて連続フラグを参照し"１"となっているので、ステップＳ３１により１つ前の表示文字との間にスペースを挿入して新たに記号"＊"を表示し、連続フラグを"０"とする。
【００４８】
そして、次の番号"１"が入力されると、ステップＳ２６により前の番号"２"と異なる数字と判定され、ステップＳ３０にて連続フラグを参照すると、"０"となっているのでステップＳ３２に進み、そのまま記号"＊"を表示する。
【００４９】
そして、次の番号"１"が入力されると、ステップＳ２６により前の番号"１"と同じ数字と判定され、ステップＳ３０にて連続フラグを参照すると、"０"となっているのでステップＳ２８に進み、１つ前の表示文字と２つ前の表示文字の間にスペースを挿入し記号"＊"を新たに表示し、連続フラグを"１"とする。
【００５０】
以上の結果、"１１２１１"の入力に対し、"＊＊  ＊  ＊＊"のように入力したキーデータの同じ部分がスペースにより区分けされて表示されることになる。
【００５１】
また、図８（ａ）に示したように、暗証番号として"１２３４５"が入力された場合では、最初の番号"１"が入力されたときにステップＳ２２により"＊"を表示し、次ぎの番号"２"が入力されると、ステップＳ２６により前の番号"１"と異なる数字と判定され、ステップＳ３０にて連続フラグを参照すると、"０"であるので、ステップＳ３２に進み、そのまま記号"＊"を表示する。この場合、連続フラグは"０"のままとなる。
【００５２】
そして、次の番号"３"が入力されると、同様にステップＳ２６により前の番号"２"と異なる数字と判定され、ステップＳ３０にて連続フラグを参照すると、"０"であるので、ステップＳ３２に進み、そのまま記号"＊"を表示する。そして、次の番号"４"、"５"の場合も同様に、そのまま記号"＊"を表示することになる。
【００５３】
以上の結果、"１２３４５６"の入力に対し、"＊＊＊＊＊"のように表示されることになる。なお、このように異なるキーデータが連続した場合、それぞれスペースを挿入すると、長い暗証番号を入力するときなどではかえって確認がし難くなるので、スペースを挿入しないようにしている。
【００５４】
以上の説明では、キーデータが変化する位置にスペースを挿入するように説明したが、区分けの記号としてスペースではなく、例えば"｜"などを挿入するようにしてもよいし、その他の記号を用いても勿論よい。
【００５５】
また、以上の説明では、異なるキー入力があったときで連続フラグが"０"の場合、すなわち、前も連続して異なる場合、ステップＳ３２にて同じ記号を表示する用に説明したが、図８（ｂ）に示したように、順にまたはランダムに異なる記号を表示するようにすれば、さらに確認し易くなる。
【００５６】
（実施例２の効果）
以上のように実施例２の自動取引装置によれば、暗証番号として同じキーが連続したときは、その前後に境界を表すスペースまたは記号を挿入して表示するようにしたので、実施例１の効果と同様、暗証番号が長い場合でも暗証番号の入力間違いを少なくすることができる。
【産業上の利用可能性】
【００５７】
本発明は、暗証番号の入力により認証し、所定の取引を開始する自動取引装置等に広く用いることができる。
【図面の簡単な説明】
【００５８】
【図１】実施例１の自動取引装置の外観構成図である。
【図２】実施例１の自動取引装置の内部構成図である。
【図３】実施例１の自動取引装置の動作フローチャート図である。
【図４】実施例１の自動取引装置の操作画面例である。
【図５】実施例１の自動取引装置の操作画面例である。
【図６】実施例２の自動取引装置の動作フローチャート図である。
【図７】実施例２の自動取引装置の操作画面例および動作説明図である。
【図８】実施例２の自動取引装置の操作画面例である。
【符号の説明】
【００５９】
１：自動取引装置
６：前面操作パネル
６ａ：ＬＣＤ画面表示部
６ｂ：タッチキー入力部
６ｃ：暗証番号入力部
１０：制御部
【図１】
0005181726.tif 000002
【図２】
0005181726.tif 000003
【図３】
0005181726.tif 000004
【図４】
0005181726.tif 000005
【図５】
0005181726.tif 000006
【図６】
0005181726.tif 000007
【図７】
0005181726.tif 000008
【図８】
0005181726.tif 000009